【手続補正書】
【提出日】令和2年4月1日(2020.4.1)
【手続補正１】
【補正対象書類名】特許請求の範囲
【補正対象項目名】全文
【補正方法】変更
【補正の内容】
【特許請求の範囲】
【請求項１】
光ファイバ通信システムで少なくとも２つのデータバーストのシーケンスを送信するためのシステムであって、
規定のバースト期間中のデータ送信期間の間にデータ入力値を選択すると共に、前記規定のバースト期間中かつ前記データ送信期間の直後の延長期間の間に論理ハイ値および論理ロー値の一方を選択して、少なくとも２つのバーストの前記シーケンスについて、少なくとも１つのバーストは論理ロー値の延長期間を有し、少なくとも１つのバーストは論理ハイ値の延長期間を有するように、データ入力値、論理ハイ値または論理ロー値のうちの１つを選択するように構成された選択回路と、
前記規定のバースト期間中に前記選択回路によって選択された値またはゼロ値に対応する電流であって、レーザダイオードが光出力を供給するような前記電流をレーザダイオードに与えるように構成された駆動回路と、
前記レーザダイオードの光出力に対応するセンサモジュール出力であって、少なくとも２つのバーストの前記シーケンスにおける前記論理ハイ値および前記論理ロー値に対応した前記レーザダイオードの光出力に比例する電気出力を与える前記センサモジュール出力を提供するように構成された光センサモジュールと、
前記レーザダイオードの所望の最小および最大光出力パワーレベルに関する値を受信すると共に、前記論理ハイ値および前記論理ロー値に対応した光出力パワーレベルに比例する電気出力を前記光センサモジュールから受信し、当該受信情報を使用して前記駆動回路に制御値を提供するように構成されたコントローラと、
を含むシステム。
【請求項２】
前記光センサモジュールは、フォトダイオード出力パワー検出器を備える、請求項１に記載のシステム。
【請求項３】
前記光センサモジュールは、光センサおよびトランスインピーダンス型増幅器を備え、該トランスインピーダンス型増幅器が前記センサモジュール出力を提供するように構成されている、請求項１または２に記載のシステム。
【請求項４】
前記制御値は、前記レーザダイオードの光出力の平均パワーを制御するように構成されている、請求項１〜３のいずれか１つに記載のシステム。
【請求項５】
前記制御値は、前記レーザダイオードの光出力のピークパワーを制御するように構成されている、請求項１〜４のいずれか１つに記載のシステム。
【請求項６】
前記制御値は、前記レーザダイオードの光出力の変調指数を制御するように構成されている、請求項１〜５のいずれか１つに記載のシステム。
【請求項７】
前記レーザダイオードに与えられる前記電流は、定常成分と可変成分とを含む、請求項１〜６のいずれか１つに記載のシステム。
【請求項８】
前記駆動回路は、バイアス制御値と変調制御値との組み合わせに応じて、前記レーザダイオードに与えられる前記電流を設定するように構成されている、請求項１〜７のいずれか１つに記載のシステム。
【請求項９】
前記制御値は、前記駆動回路を制御して、前記レーザダイオードに与えられるバイアス電流および変調電流のうちの少なくとも一方を設定するように構成されている、請求項８に記載のシステム。
【請求項１０】
前記駆動回路は、前記レーザダイオードにバイアス電流を与えるように構成されたバイアス回路を備える、請求項１〜９のいずれか１つに記載のシステム。
【請求項１１】
前記駆動回路は、前記レーザダイオードに変調電流を与えるように構成された変調回路を備える、請求項１〜１０のいずれか１つに記載のシステム。
【請求項１２】
前記駆動回路は、平均値と変調値との組み合わせに応じて、前記レーザダイオードに与えられる電流を設定するように構成されている、請求項１〜７のいずれか１つに記載のシステム。
【請求項１３】
前記バースト期間は、バーストイネーブル信号によってゲート制御される、請求項１〜１２のいずれか１つに記載のシステム。
【請求項１４】
前記制御値は、前記レーザダイオードの所望の最小および最大光出力パワーレベルを伝えるように前記駆動回路を制御する、請求項１〜１３のいずれか１つに記載のシステム。
【請求項１５】
前記延長期間は、前記センサモジュール出力の整定時間よりも長い、請求項１〜１４のいずれか１つに記載のシステム。
【請求項１６】
前記選択回路は、連続する延長期間ごとに前記論理ハイ値および前記論理ロー値のうちの一方を交互に選択する、請求項１〜１５のいずれか１つに記載のシステム。
【請求項１７】
前記選択回路は、予め定められたシーケンスに従って、連続する延長期間ごとに前記論理ハイ値および前記論理ロー値を選択する、請求項１〜１６のいずれか１つに記載のシステム。
【請求項１８】
前記選択回路は、前記論理ハイ値が選択された延長期間の直後に前記論理ロー値を選択する、請求項１〜１７のいずれか１つに記載のシステム。
【請求項１９】
前記選択回路は、セレクタスイッチ機能を備える、請求項１〜１８のいずれか１つに記載のシステム。
【請求項２０】
前記選択回路の帯域幅は、前記延長期間の時間よりも有意に短い時間で、前記データ入力値、前記論理ハイ値および前記論理ロー値の間で切り替わるように構成されている、請求項１〜１９のいずれか１つに記載のシステム。
【請求項２１】
光ファイバ通信システムで少なくとも２つのデータバーストのシーケンスを送信するための方法であって、
規定のバースト期間中のデータ送信期間の間にデータ入力値が選択されると共に、前記規定のバースト期間中かつ前記データ送信期間の直後の延長期間の間に論理ハイ値および論理ロー値の一方が選択されて、少なくとも２つのバーストの前記シーケンスについて、少なくとも１つのバーストは論理ロー値の延長期間を有し、少なくとも１つのバーストは論理ハイ値の延長期間を有するように、データ入力値、論理ハイ値または論理ロー値のうちの１つを選択することと、
前記規定のバースト期間中に選択された値またはゼロ値に対応する電流であって、レーザダイオードが光出力を供給するような前記電流をレーザダイオードに与えることと、
前記光出力に対応するセンサモジュール出力を用いることによって、少なくとも２つのバーストの前記シーケンスにおける前記論理ハイ値および前記論理ロー値に対応したレーザダイオードの光出力に比例する電気出力を決定することと、
前記レーザダイオードの所望の最小および最大光出力パワーレベルに関する値を受信することと、
前記論理ハイ値および前記論理ロー値に対応した光出力に比例する前記電気出力と、前記レーザダイオードの所望の最小および最大光出力パワーレベルに関する前記受信された値とに基づいて、前記レーザダイオードに与えられる前記電流についての制御値を提供することと、
を含む方法。
【手続補正２】
【補正対象書類名】明細書
【補正対象項目名】０００５
【補正方法】変更
【補正の内容】
【０００５】
一態様によれば、光ファイバ通信システムで少なくとも２つのデータバーストのシーケンスを送信するためのシステムであって、規定のバースト期間中のデータ送信期間の間にデータ入力値を選択すると共に、前記規定のバースト期間中かつ前記データ送信期間の直後の延長期間の間に論理ハイ値および論理ロー値の一方を選択して、少なくとも２つのバーストの前記シーケンスについて、少なくとも１つのバーストは論理ロー値の延長期間を有し、少なくとも１つのバーストは論理ハイ値の延長期間を有するように、データ入力値、論理ハイ値または論理ロー値のうちの１つを選択するように構成された選択回路と、前記規定のバースト期間中に前記選択回路によって選択された値またはゼロ値に対応する電流であって、レーザダイオードが光出力を供給するような電流をレーザダイオードに与えるように構成された駆動回路と、前記レーザダイオードの光出力に対応するセンサモジュール出力であって、少なくとも２つのバーストの前記シーケンスにおける前記論理ハイ値および前記論理ロー値に対応した前記レーザダイオードの光出力に比例する電気出力を与える前記センサモジュール出力を提供するように構成された光センサモジュールと、前記レーザダイオードの所望の最小および最大光出力パワーレベルに関する値を受信すると共に、前記論理ハイ値および前記論理ロー値に対応した光出力パワーレベルに比例する電気出力を前記光センサモジュールから受信し、当該受信情報を使用して前記駆動回路に制御値を提供するように構成されたコントローラと、を含むシステムが提供される。
【手続補正３】
【補正対象書類名】明細書
【補正対象項目名】０００８
【補正方法】変更
【補正の内容】
【０００８】
前記レーザダイオードに与えられる前記電流は、定常成分と可変成分とを含んでもよい。
前記駆動回路は、バイアス制御値と変調制御値との組み合わせに応じて、前記レーザダイオードに与えられる前記電流を設定するように構成されてもよい。
前記制御値は、前記駆動回路を制御して、前記レーザダイオードに与えられるバイアス電流および変調電流のうちの少なくとも一方を設定するように構成されてもよい。
【手続補正４】
【補正対象書類名】明細書
【補正対象項目名】００１０
【補正方法】変更
【補正の内容】
【００１０】
前記バースト期間は、バーストイネーブル信号によってゲート制御されてもよい。
前記データ送信期間の継続時間は、バーストモード動作のための標準仕様に準拠してもよい。
前記制御値は、前記レーザダイオードの所望の最小および最大光出力パワーレベルを伝えるように駆動回路を制御してもよい。
前記延長期間は、前記センサモジュール出力の整定時間より長くてもよい。
【手続補正５】
【補正対象書類名】明細書
【補正対象項目名】００１１
【補正方法】変更
【補正の内容】
【００１１】
前記選択回路は、連続する延長期間ごとに前記論理ハイ値および前記論理ロー値のうちの一方を交互に選択してもよい。
前記選択回路は、予め定められたシーケンスに従って、連続する延長期間ごとに前記論理ハイ値および前記論理ロー値を選択してもよい。
前記選択回路は、前記論理ハイ値が選択された延長期間の直後に前記論理ロー値を選択してもよい。
前記選択回路は、セレクタスイッチ機能を備えていてもよい。
前記選択回路の帯域幅は、前記延長期間の時間よりも有意に短い時間で、前記データ入力、前記論理ハイ値および前記論理ロー値の間で切り替わるように構成されてもよい。
【手続補正６】
【補正対象書類名】明細書
【補正対象項目名】００２１
【補正方法】変更
【補正の内容】
【００２１】
別の態様によれば、光ファイバ通信システムで少なくとも２つのデータバーストのシーケンスを送信するための方法であって、規定のバースト期間中のデータ送信期間の間にデータ入力値が選択されると共に、前記規定のバースト期間中かつ前記データ送信期間の直後の延長期間の間に論理ハイ値および論理ロー値の一方が選択されて、少なくとも２つのバーストの前記シーケンスについて、少なくとも１つのバーストは論理ロー値の延長期間を有し、少なくとも１つのバーストは論理ハイ値の延長期間を有するように、データ入力値、論理ハイ値または論理ロー値のうちの１つを選択することと、前記規定のバースト期間中に選択された値またはゼロ値に対応する電流であって、レーザダイオードが光出力を供給するような前記電流をレーザダイオードに与えることと、前記光出力に対応するセンサモジュール出力を用いることによって、少なくとも２つのバーストの前記シーケンスにおける前記論理ハイ値および前記論理ロー値に対応したレーザダイオードの光出力に比例する電気出力を決定することと、前記レーザダイオードの所望の最小および最大光出力パワーレベルに関する値を受信することと、前記論理ハイ値および前記論理ロー値に対応した光出力に比例する前記電気出力と、前記レーザダイオードの所望の最小および最大光出力パワーレベルに関する前記受信された値とに基づいて、前記レーザダイオードに与えられる前記電流についての制御値を提供することと、を含む方法が提供される。
【手続補正７】
【補正対象書類名】明細書
【補正対象項目名】００２４
【補正方法】変更
【補正の内容】
【００２４】
前記レーザダイオードに与えられる前記電流は、定常成分と可変成分とを含んでもよい。
前記方法は、バイアス制御値と変調制御値との組み合わせに応じて、前記レーザダイオードに供給される前記電流を設定することを含んでもよい。
前記方法は、前記制御値を使用して、前記レーザダイオードに与えられるバイアス制御値および変調制御値のうちの少なくとも一方を制御することを含んでもよい。
前記方法は、平均値と変調値との組み合わせに応じて、前記レーザダイオードに与えられる前記電流を設定することを含んでもよい。
【手続補正８】
【補正対象書類名】明細書
【補正対象項目名】００２５
【補正方法】変更
【補正の内容】
【００２５】
前記バースト期間は、バーストイネーブル信号によってゲート制御されてもよい。
前記データ送信期間の継続時間は、バーストモード動作のための標準仕様に準拠してもよい。
前記方法は、所望の最小および最大光出力パワーレベルを伝えるために、前記制御値を使用して制御を行うことを含んでもよい。
前記延長期間は、前記センサモジュール出力の整定時間より長くてもよい。
【手続補正９】
【補正対象書類名】明細書
【補正対象項目名】００２６
【補正方法】変更
【補正の内容】
【００２６】
前記方法は、連続する延長期間ごとに前記論理ハイ値および前記論理ロー値を交互に選択することを含んでもよい。
前記方法は、予め定められたシーケンスに従って、連続する延長期間ごとに前記論理ハイ値および前記論理ロー値を選択することを含んでもよい。
前記方法は、前記論理ハイ値が選択された延長期間の直後に前記論理ロー値を選択することを含んでもよい。
前記方法は、セレクタスイッチ機能を使用して選択することを含んでもよい。